(57)【要約】【課題】嵌合方向に長くなるのを抑えることが可能なコネクタを提供する。【解決手段】コネクタは、レバーロック部２８が突設された雌ハウジング１１と、雌ハウジング１１が嵌合可能な筒状のフード部３６を有し、フード部３６に、レバーロック部２８が進入する切欠状の凹部７１が設けられた雄ハウジング１２と、雄ハウジング１２に組み付けられ、回動されて両ハウジング１１、１２の嵌合を行い、凹部７１に進入したレバーロック部２８に係止されるレバーロック受部７５を有するレバー１６と、を備える。【選択図】図８
2019091610.tif 000002
【特許請求の範囲】
【請求項１】
レバーロック部が突設された雌ハウジングと、
前記雌ハウジングが嵌合可能な筒状のフード部を有し、前記フード部に、前記レバーロック部が進入する切欠状の凹部が設けられた雄ハウジングと、
前記雄ハウジングに組み付けられ、回動されて両ハウジングの嵌合を行い、前記凹部に進入した前記レバーロック部に係止されるレバーロック受部を有するレバーと、を備えるコネクタ。
【請求項２】
前記雌ハウジングは、前記フード部への嵌合方向前方を向く嵌合面と、前記嵌合面とは反対側である嵌合方向後方を向いて電線を引き出す電線引出面と、前記電線引出面及び前記嵌合面のそれぞれと交差する方向を向く側面とを有し、前記レバーロック部は、前記雌ハウジングの前記側面に設けられている請求項１に記載のコネクタ。
【請求項３】
前記レバーロック部は、前記電線引出面から前記嵌合方向後方へ突出する部分を有しない請求項２に記載のコネクタ。
【請求項４】
前記レバーロック部と前記レバーロック受部とが互いに係止し合う構造は、前記雌ハウジングの前記側面の外方から視認可能となっている請求項２または請求項３に記載のコネクタ。
【請求項５】
前記フード部の前記凹部には、前記レバーロック部の全体が進入する請求項１ないし請求項４のいずれか１項に記載のコネクタ。
【請求項６】
前記フード部には、前記凹部の縁部に沿って延出するリブが設けられている請求項１ないし請求項５のいずれか１項に記載のコネクタ。
【請求項７】
前記凹部に進入した前記レバーロック部は、周囲に位置する前記フード部の外面より高く突出して配置される請求項１ないし請求項６のいずれか１項に記載のコネクタ。
【請求項８】
前記フード部は、前記雌ハウジングが嵌合する嵌合空間を挟んで対向する第１側壁及び第２側壁を有し、前記凹部は、前記第１側壁に設けられ、前記第２側壁には、車体に取り付けるための取付部が設けられている請求項１ないし請求項７のいずれか１項に記載のコネクタ。
【請求項９】
前記フード部は、前記レバーロック部と前記レバーロック受部とが互いに係止し合う状態で、前記レバーに当接可能な過度回動規制部を有している請求項１ないし請求項８のいずれか１項に記載のコネクタ。
【請求項１０】
前記過度回動規制部は、前記フード部において、前記凹部を挟んだ両側に対をなして設けられている請求項９に記載のコネクタ。
【請求項１１】
前記雌ハウジングの外面には、両ハウジングのこじり嵌合を防止するためのこじり防止部が突設され、
前記フード部には、前記こじり防止部が進入するこじり防止受部が外側に膨出して設けられ、
前記こじり防止受部の膨出端面に、前記過度回動規制部が設けられている請求項９または請求項１０に記載のコネクタ。
【請求項１２】
前記フード部内には、タブを有する複数の雄端子金具が突出して配置されるとともに、ムービングプレートが移動可能に収容され、
前記ムービングプレートは、前記タブを挿通可能な複数の位置決め孔が設けられたプレート本体と、前記プレート本体の周縁に連なって前記フード部の内面に摺動可能な周壁と、を有し、
前記周壁には、前記フード部から露出する取り外し用の操作部が設けられ、
前記操作部が凹部に進入し、
前記レバーロック部の根元部分には、前記操作部を逃がす逃がし部が設けられている請求項１ないし請求項１１のいずれか１項に記載のコネクタ。
【発明の詳細な説明】
【技術分野】
【０００１】
本発明は、コネクタに関する。
【背景技術】
【０００２】
特許文献１に開示のコネクタは、互いに嵌合可能な雌ハウジング及び雄ハウジングと、雄ハウジングに対して仮係止位置と本係止位置とに回動可能に組み付けられるレバーと、雄ハウジングのフード部内に収容されるムービングプレートとを備えている。レバーは、門型をなし、操作部と、操作部から突出する一対のアーム部とを有している、両アーム部には、それぞれカム溝が設けられている。操作部には、撓み変形可能なフレームロック片が設けられている。雌ハウジングには、カム溝と係合可能な一対のカムピンが設けられている。また、雌ハウジングには、突片状のレバーロック部が後方へ突出して設けられている。なお、雌ハウジングの後面は、電線が引き出される面である。
【０００３】
レバーが仮係止位置から本係止位置に回動され、カムピンがカム溝の溝面を摺動することにより、雌ハウジングがフード部内に引き込まれ、両ハウジングが正規に嵌合される。また、レバーが本係止位置に至ると、フレームロック部がレバーロック部を弾性的に係止し、両ハウジングが嵌合状態に保持される。
【先行技術文献】
【特許文献】
【０００４】
【特許文献１】特開２０１１−１４４５４号公報
【発明の概要】
【発明が解決しようとする課題】
【０００５】
上記の場合、レバーロック部が雌ハウジングの後方に部分的に突出する形態になっているため、コネクタが嵌合方向に長くなる懸念がある。
【０００６】
本発明は上記のような事情に基づいて完成されたものであって、嵌合方向に長くなるのを抑えることが可能なコネクタを提供することを目的とする。
【課題を解決するための手段】
【０００７】
本発明のコネクタは、レバーロック部が突設された雌ハウジングと、前記雌ハウジングが嵌合可能な筒状のフード部を有し、前記フード部に、前記レバーロック部が進入する切欠状の凹部が設けられた雄ハウジングと、前記雄ハウジングに組み付けられ、回動されて両ハウジングの嵌合を行い、前記凹部に進入した前記レバーロック部に係止されるレバーロック受部を有するレバーと、を備えるところに特徴を有する。
【発明の効果】
【０００８】
凹部にレバーロック部が進入することにより、コネクタの嵌合方向の長さ寸法を小さくすることができる。
【図面の簡単な説明】
【０００９】
【図１】本発明の実施例１におけるコネクタの分解斜視図である。
【図２】雄ハウジングに対してレバーが組付位置に保持された状態を示す側面図である。
【図３】雄ハウジングに対してレバーが嵌合開始位置に保持された状態を示す側面図である。
【図４】雄ハウジングに対してレバーが嵌合完了位置に保持された状態を示す側面図である。
【図５】雌ハウジングに対してレバーが誤組み付け姿勢をとって取り付けが規制された状態を示す側面図である。
【図６】嵌合状態のコネクタを雌ハウジング側から見た正面図である。
【図７】嵌合状態のコネクタの平面図である。
【図８】嵌合状態のコネクタの断面図である。
【図９】フード部内にムービングプレートが収容され、レバーが嵌合開始位置にある状態を示す正面図である。
【図１０】フード部内にムービングプレートが収容され、レバーが嵌合開始位置にある状態を示す平面図である。
【図１１】ムービングプレートの操作部とフード部の凹部との位置関係を示す断面図である。
【図１２】雄ハウジングの平面図である。
【図１３】雄ハウジングの側面図である。
【図１４】雌ハウジングの平面図である。
【図１５】雌ハウジングの正面図である。
【図１６】雌ハウジングの側面図である。
【図１７】レバーの平面図である。
【図１８】レバーの正面図である。
【図１９】ムービングプレートの正面図である。
【図２０】ムービングプレートの側面図である。
【発明を実施するための形態】
【００１０】
＜実施例１＞
以下、実施例１を図面に基づいて説明する。実施例１のコネクタは、図１に示すように、互いに嵌合可能な雌ハウジング１１及び雄ハウジング１２と、雌ハウジング１１に装着される雌フロントリテーナ１３と、雄ハウジング１２に装着される雄フロントリテーナ１４と、雄ハウジング１２に装着されるムービングプレート１５と、雄ハウジング１２に装着されるレバー１６と、を備えている。なお、以下の説明において、前後方向は、雌雄の両ハウジング１１、１２が嵌合開始時に互いに向き合う面側を前側とし、上下方向は、図７、図１０、図１２、図１４及び図１７を除く各図を基準とする。
【００１１】
雌ハウジング１１は合成樹脂製であって、全体として角ブロック状をなしている。図１６に示すように、雌ハウジング１１は、前面に、嵌合面１７を有し、後面に、電線引出面１８を有し、周囲に、電線引出面１８及び嵌合面１７と直交（交差）する方向を向いた側面１９を有している。側面１９は、上下面及び左右面からなる。
【００１２】
図１５に示すように、雌ハウジング１１は、前後方向に貫通する複数の雌キャビティ２１を有している。各雌キャビティ２１には、それぞれ、図８に示すように、後方から雌端子金具２２が挿入されて収容される。各雌端子金具２２は導電金属製であって、電線２３の端末部に接続されている。各電線２３は、電線引出面１８から後方に引き出される。
【００１３】
図１５に示すように、各雌キャビティ２１のうち、雌ハウジング１１の左右中央側の上部には、周囲の雌キャビティ２１より大径の大径キャビティ２４が設けられている。大径キャビティ２４は、上下に並んで配置され、それぞれ、大型の雌端子金具２２が挿入される。
【００１４】
図１５に示すように、雌ハウジング１１は、上下面の左右端側に、複数のこじり防止部２５を有し、左右面の下側に、一対の解除部２６を有している。各こじり防止部２５及び各解除部２６は、前後方向に延出する板片状の形態になっている。雌ハウジング１１の左右面の上下中央側には、それぞれ、カムフォロア２７が対をなして突設されている。各カムフォロア２７は、前後方向に沿って扁平な断面形状をなしている。
【００１５】
図１４及び図１５に示すように、雌ハウジング１１は、上面の左右中央側の後部に、レバーロック部２８を有している。レバーロック部２８は、雌ハウジング１１の上面から上方に起立する一対の側壁部２９と両側壁部２９をつなぐ左右方向に沿った連結壁部３１とを有している。
【００１６】
連結壁部３１は、後面の上部に、後方へ突出する爪状のレバーロック突起３２を有している。図１６に示すように、レバーロック突起３２は、周囲より一段高く突出する形態になっている。図１４に示すように、レバーロック部２８は、全体が平面視で雌ハウジング１１の上面の範囲内に収まるようにして、大径キャビティ２４の上方に配置されている。よって、レバーロック部２８は、雌ハウジング１１の電線引出面１８より後方に突出する部分を有さず、電線引出面１８から引き出される各電線２３との接触を回避可能とされている。
【００１７】
図１５に示すように、レバーロック部２８は、雌ハウジング１１の上面に臨む根元部分（基端部分）である一対の側壁部２９と連結壁部３１との間に、前方に開口する逃がし部３４を有している。逃がし部３４は、幅方向に扁平スリット状に開口し、後側の左右中央部を除いて前後に貫通している。
【００１８】
雌フロントリテーナ１３は合成樹脂製であって、図８に示すように、雌ハウジング１１の嵌合面１７を覆うようにして雌ハウジング１１に前方から組み付けられる。各雌端子金具２２は、雌フロントリテーナ１３によって各雌キャビティ２１に抜け止め状態に保持される。
【００１９】
雄ハウジング１２は合成樹脂製であって、図１、図８、図１２及び図１３に示すように、角ブロック状の端子収容部３５と、端子収容部３５の前端外縁から前方に突出する角筒状のフード部３６とからなる。
【００２０】
図１２に示すように、端子収容部３５は、左右面の上端部に、前後方向に延出する突条部３７を有している。また、図１に示すように、端子収容部３５は、前後方向に貫通する複数の雄キャビティ３８を有している。各雄キャビティ３８は、各雌キャビティ２１と対応する位置に配置されている。各雄キャビティ３８には、それぞれ、図８に示すように、後方から雄端子金具３９が挿入されて収容される。各雄端子金具３９は、導電金属製であって、前方に突出するタブ４１を有し、後部において電線４２の端末部に接続されている。各電線４２は、端子収容部３５の後面から後方へ引き出される。各雄端子金具３９のタブ４１は、フード部３６内に突出して配置される。
【００２１】
雄フロントリテーナ１４は合成樹脂製であって、図８に示すように、端子収容部３５の前面（フード部３６の奥面）を覆うようにして雄ハウジング１２に対して前方からフード部３６内に組み付けられる。各雄端子金具３９は、雄フロントリテーナ１４によって各雄キャビティ３８に抜け止め状態に保持される。各雄端子金具３９のタブ４１は、両ハウジング１１、１２の正規嵌合時に、雄フロントリテーナ１４及び雌フロントリテーナ１３に形成された各孔部分を貫通し、対応する雌端子金具２２に挿入されて電気的に接続される。
【００２２】
図１２及び図１３に示すように、雄ハウジング１２は、端子収容部３５とフード部３６との境界部分で、且つ、左右側面（一対の側面）の上下中央側の前部に、それぞれ、軸部４３を有している。軸部４３は、雄ハウジング１２の側面から側方へ突出する円柱状の軸本体４４と、軸本体４４の突出方向の先端部から径方向両側、詳細には前後両側に張り出す一対の突片４５とからなる。各突片４５は、側面視矩形の板片状に形成されている。
【００２３】
フード部３６は、内部に、雌ハウジング１１が嵌合される嵌合空間４６を有している。図９に示すように、フード部３６は、嵌合空間４６を挟んで上下で対向する第１側壁４７及び第２側壁４８と、嵌合空間４６を挟んで左右で対向する第３側壁４９及び第４側壁５１とからなる。第１側壁４７及び第２側壁４８は、全体として左右方向に沿って配置され、第３側壁４９及び第４側壁５１は、全体として上下方向に沿って配置される。第１側壁４７は、上側に位置し、第２側壁４８は、下側に位置している。第３側壁４９及び第４側壁５１は、フード部３６の左右中央に対して線対称な形状になっている。
【００２４】
図１２及び図１３に示すように、第３側壁４９及び第４側壁５１は、それぞれ、外面の第１側壁４７側の後部に、爪状のストッパ突部５２を有している。また、第３側壁４９及び第４側壁５１は、それぞれ、図１３に示すように、上下中央部に、前後方向に延びて前端に開口する導入溝５３を有し、導入溝５３の下側に、前後方向に延びて前端に開口する挿入溝５４を有している。導入溝５３は、軸部４３の前方に位置し、挿入溝５４より上下方向の溝幅が大きくされている。
【００２５】
図９及び図１３に示すように、第３側壁４９及び第４側壁５１は、それぞれ、前部に、導入溝５３及び挿入溝５４を跨いで架設された形態の壁部５５を有している。壁部５５は、第３側壁４９及び第４側壁５１の外壁面（以下、側面という）から起立する上下夫々の第１脚部５６及び第２脚部５７と、第１脚部５６及び第２脚部５７の起立端間に架け渡され、側面を覆う平板状の壁本体部５８とを有している。第１脚部５６は、上側に位置し、第２脚部５７は、下側に位置している。第１脚部５６及び第２脚部５７は、いずれも前後方向に延出する形態になっている。
【００２６】
図１３に示すように、第１脚部５６の前後方向の長さは、第２脚部５７の前後方向の長さより短くされている。第３側壁４９及び第４側壁５１の上下中央において軸部４３を通って前後方向に延びる軸を仮想軸５９とした場合に、仮想軸５９から第１脚部５６までの上下方向の離間距離は、仮想軸５９から第２脚部５７までの上下方向の離間距離より短くされている。このように、壁部５５は、仮想軸５９から第１脚部５６までの上下方向（嵌合方向と直交する方向）の距離が相対的に短い短部分６１と、仮想軸５９から第２脚部５７までの上下方向の距離が相対的に長い長部分６２とで構成されることになる。
【００２７】
壁本体部５８は、側面視において第１脚部５６から第２脚部５７にかけて円弧状に連なる縁部６３を有している。壁本体部５８は、仮想軸５９と交差する部分において、最も前後幅が狭く、縁部６３が前方に凹むように位置している。図１２に示すように、壁部５５は、縁部６３より前方へ控えた位置に、導入溝５３と対応する位置を除いて、後面を塞ぐように円弧状に湾曲する円弧面部６４を有している。
【００２８】
図１２に示すように、壁本体部５８、円弧面部６４及び側面で区画される空間は、レバー１６の後述する壁係合部９３の進入を許容する進入空間６５とされている。進入空間６５は、短部分６１の第１脚部５６の後端部に、進入口６６として開口している。
【００２９】
図９に示すように、第２側壁４８は、左右中央部に、取付部６７を有している。取付部６７は、左右両側のレール部分を図示しない車両に設けられたブラケットに抱持させた形態で、車両に取り付けられる。
【００３０】
図９に示すように、第１側壁４７及び第２側壁４８は、左右端部に、それぞれ、こじり防止受部６８を有している。各こじり防止受部６８は、外側（上側及び下側）に断面矩形状に膨出する形態になっている。各こじり防止受部６８は、前後方向及び左右方向に平坦な膨出端面６９（過度回動規制部）を有している。
【００３１】
図１２に示すように、第１側壁４７は、左右中央部に、平面視矩形状で、且つ前端に開口する切欠状の凹部７１を有している。凹部７１は、平面視矩形に開口する形態になっている。第１側壁４７は、外面に、凹部７１の左右縁及び後端（縁部）に沿って延出するリブ７２を有している。凹部７１の周囲は、リブ７２で包囲されて補強される。凹部７１の左右縁に沿ったリブ７２は、凹部７１を超え、フード部３６から端子収容部３５に跨って細長く延出している。
【００３２】
レバー１６は合成樹脂製であって、図１７及び図１８に示すように、左右方向に延出するレバー操作部７３と、レバー操作部７３の左右両端から互いに平行に対向して突出する一対の板部７４とを有している。レバー１６は、雄ハウジング１２に対し、軸部４３を中心として、組付位置、嵌合開始位置及び嵌合完了位置に、それぞれ、回動可能とされている。そして、レバー１６は、図２に示す組付位置では、レバー操作部７３が雄ハウジング１２の上部後方に位置する組付姿勢をとり、図３に示す嵌合開始位置では、レバー操作部７３が組付姿勢より少し上方に変位した嵌合開始姿勢をとり、図４に示す嵌合完了位置では、レバー操作部７３が雄ハウジング１２の前部上方に変位した嵌合完了姿勢をとるように構成される。
【００３３】
図１７及び図１８に示すように、レバー操作部７３は、左右中央部に、レバーロック受部７５を有している。レバーロック受部７５は、左右方向に沿った基端部７６と、基端部７６から後方に延出する門型枠状のロックアーム部７７と、基端部７６の左右端に連なり、ロックアーム部７７と平行に延出する縦板状の保護部７８と、左右の保護部７８に連なってロックアーム部７７の外側を横切る横板状の横架部７９とを有している。保護部７８の前後方向途中の部分は、レバー操作部７３の左右両側の部分に連結されている。
【００３４】
図１に示すように、各板部７４は、それぞれ、平板状をなし、軸受部８１を有している。図２に示すように、軸受部８１は、板部７４を厚み方向に貫通する断面円形の軸孔８２と、軸孔８２の径方向両端（前後端）から径方向両側に（前後方向）に延びる一対の逃がし孔８３とを有している。逃がし孔８３は、突片４５が嵌合可能に進入するように、断面矩形に開口している。各板部７４の外面のうち、軸孔８２の開口縁部は、周囲より一段落ちた平坦な摺動面８４とされている。摺動面８４には突片４５が摺動可能とされている。
【００３５】
各板部７４は、内面に、それぞれ、図１に示すように、軸受部８１の周囲を所定方向に延びるカム溝８５を有している。カム溝８５は、各板部７４の外面側に閉塞された有底溝である。カム溝８５の溝面は、軸受部８１から遠い側の嵌合用カム面８６と、軸受部８１に近い側の離脱用カム面８７とを有している。カム溝８５の入り口は、各板部７４の外周に開口し、嵌合用カム面８６から離脱用カム面８７へ向けて溝幅方向に延出するリブ状の係止部８８を有している。
【００３６】
各板部７４は、内面に、それぞれ、外周縁に沿って円弧状に延びるガイド溝８９を有している。また、図１８に示すように、各板部７４は、内面のレバー操作部７３寄りの部分に、それぞれ、爪状の係合突起９１を有している。さらに、各板部７４は、外周縁におけるカム溝８５を挟んで係止部８８とは反対側の部分に、片持ち状に延出する弾性ロック部９２を有している。
【００３７】
図１に示すように、レバー１６は、各板部７４の外周に沿ってカム溝８５の入り口近傍から円弧状に延出する壁係合部９３を有している。壁係合部９３は、各板部７４の厚みより薄肉のリブ状をなし、各板部７４の外周縁におけるカム溝８５を挟んで軸受部８１とは反対側の所定範囲に、径方向に一定幅で沿設されている。
【００３８】
ムービングプレート１５は合成樹脂製であって、図１に示すように、上下方向及び左右方向に沿った矩形平板状のプレート本体９４と、プレート本体９４の外縁に全周にわたって連なり、外縁から前方に突出する周壁９５とを有している。プレート本体９４は、各雄キャビティ３８と対応する位置に、複数の位置決め孔９６を有している。
【００３９】
図１９に示すように、周壁９５は、上下で対向する上壁１１４及び下壁１１５と、左右で対向する一対の横壁１１６とからなり、左右中央に対して線対称な形状になっている。図９に示すように、ムービングプレート１５は、上壁１１４を第１側壁４７に、下壁１１５を第２側壁４８に、一対の横壁１１６を第３側壁４９及び第４側壁５１に、それぞれ、摺動可能に対面させた状態で、フード部３６内を前後方向に移動可能とされている。
【００４０】
ムービングプレート１５は、プレート本体９４が端子収容部３５の前面側から離間し、周壁９５がフード部３６の開口側（前側）に沿って配置される移動開始位置と、図８に示すように、プレート本体９４が端子収容部３５の前面側に、雄フロントリテーナ１４を介して、当接または近接し、周壁９５がフード部３６の奥側（後側）に沿って配置される移動完了位置とに、移動可能とされている。
【００４１】
図１９に示すように、周壁９５の上壁１１４及び下壁１１５は、左右端部に、それぞれ、中継こじり防止受部９７を有している。図６に示すように、各中継こじり防止受部９７は、外側（上側及び下側）に断面矩形状に膨出する形状をなし、各こじり防止受部６８の内側に嵌合可能とされている。
【００４２】
図１に示すように、周壁９５の上壁１１４は、外面の左右中央部に、周囲から一段落ちた凹所９８を有している。凹所９８は、前後方向及び左右方向に沿って平坦な凹面部分を有する浅底凹状をなし、後端がプレート本体９４に開口している。凹所９８の左右端及び前端は、上下に短く起立する段差９９で区画されている。
【００４３】
図１１に示すように、周壁９５の上壁１１４は、内面の左右中央部に、凹所９８に対応して内側に膨出する凸所１０１を有している。凸所１０１の左右端及び前端は、段差９９に対応した内側段差１０２で区画されている。
【００４４】
図１１に示すように、周壁９５の上壁１１４は、左右中央部に、操作部１０３を有している。操作部１０３は、凹所９８の前端を区画する段差９９と、段差９９から上壁１１４の前端にかけて周囲の上面部分と面一に連なりつつ延在する外側平面部１０４と、凸所１０１の前端を区画する内側段差１０２と、内側段差１０２から上壁１１４の前端にかけて周囲の下面部分と面一に連なりつつ延在する内側平面部１０５とを有している。外側平面部１０４及び内側平面部１０５は、周壁９５の上壁１１４の厚み方向反対側に、互いに平行に配置されている。
【００４５】
図１及び図１９に示すように、操作部１０３は、周壁９５の上壁１１４の前端に、摘み片１０６を有している。周壁９５の上壁１１４の前端は、摘み片１０６の左右両側に、それぞれ、凹状の切欠部分を有し、摘み片１０６は、切欠部分間において、前方に突出する矩形板状の形態で配置されている。図１１に示すように、摘み片１０６の外面は、外側平面部１０４を構成し、摘み片１０６の内面は、内側平面部１０５を構成している。
【００４６】
図１９及び図２０に示すように、周壁９５の一対の横壁１１６は、それぞれ、上下中央部に、前後方向に延びて前端に開口する進入溝１０７を有し、進入溝１０７の下側に、前後方向に延びて前端に開口する中継挿入溝１０８を有している。
【００４７】
また、周壁９５の一対の横壁１１６は、それぞれ、図２０に示すように、進入溝１０７の上下縁に沿って延出するリブ状の案内部１０９を有し、さらに、上下の案内部１０９の後部間に架け渡される門型枠状のカムピン１１１を有している。カムピン１１１は、内側に、雌ハウジング１１のカムフォロア２７が挿入され、カムフォロア２７とともにカム部分を構成して、カム溝８５に係合可能とされている。
【００４８】
次に、本実施例１の作用効果を説明する。
雄ハウジング１２側の組み付けに際し、レバー１６が雄ハウジング１２に後方から跨るようにして装着される。このとき、板部７４（実際は複数（一対）であるが、以下、説明をわかり易くするため、単数（１つ）とする。）の壁係合部９３が壁部５５の短部分６１側に向けられ、板部７４が雄ハウジング１２の第３側壁４９又は第４側壁５１にスライドさせられる。板部７４は、スライド過程で、軸部４３に乗り上げられ、レバー操作部７３との連結側を支点として外側へ弾性的に拡開変形（撓み変形）させられる。レバー１６が組付位置に到達すると、板部７４が弾性的に復帰し、板部７４の軸受部８１に軸部４３が嵌合状態で挿入される。レバー１６が組付姿勢をとっていれば、軸孔８２に軸本体４４が進入し、逃がし孔８３に突片４５が進入して逃がされ、板部７４が確実に弾性復帰させられる。
【００４９】
図２に示すように、レバー１６が組付位置に至ると、板部７４の外周縁が壁部５５の縁部６３に沿って対向して配置され、壁係合部９３が縁部６３を延長した仮想の円弧線上に沿いつつ壁部５５の進入口６６に臨むように配置される。
【００５０】
組付位置では、雄ハウジング１２のストッパ突部５２が板部７４のガイド溝８９に進入し、ガイド溝８９の奥端に当接することで、レバー１６の下方（嵌合方向とは逆方向）への回動が規制される。また、図２に示すように、組付位置では、雄ハウジング１２の突条部３７に板部７４の係合突起９１が当接可能に臨むことで、レバー１６の前方（嵌合方向）への回動が規制される。
【００５１】
一方、図５に示すように、レバー１６が正規の組付姿勢から上下反転し、レバー操作部７３が雄ハウジング１２の下側に位置する不正な組付姿勢をとっていても、板部７４の軸受部８１が軸部４３と対応して嵌合可能な位置に至ることができる。しかし、このとき、板部７４が外側へ弾性的に拡開した状態で、壁係合部９３が壁部５５の壁本体部５８の長部分６２に外側から当接し、板部７４の拡開状態（撓み状態）が解消されないままとなる。また、板部７４の外周縁が壁部５５の縁部６３と突き当たることで、レバー１６のそれ以上の前進が規制される。こうして、レバー１６の組み付けが阻止され、レバー１６が不正な組付姿勢をとっていることを検知することができる。
【００５２】
ムービングプレート１５は、中継こじり防止受部９７がフード部３６のこじり防止受部６８に嵌合状態で挿入され、フード部３６内に位置決め挿入される。また、ムービングプレート１５は、案内部１０９がフード部３６の導入溝５３に嵌合挿入された状態で、カムピン１１１が板部７４のカム溝８５の入り口に進入し、移動開始位置に移動規制状態に保持される（図９を参照）。ムービングプレート１５が移動開始位置にあるときには、プレート本体９４の位置決め孔９６に雄端子金具３９のタブ４１の先端部分が挿入され、雄端子金具３９が保護状態に置かれる。また、移動開始位置では、周壁９５の操作部１０３がフード部３６の凹部７１の内側に臨み、凹部７１を通して、摘み片１０６、段差９９及び凹所９８が目視可能となる（図１０を参照）。
【００５３】
続いて、レバー操作部７３が上方へ押圧され、レバー１６に、嵌合開始位置への操作力が付与される。すると、板部７４の係合突起９１と突条部３７との係止が解除され、レバー１６が嵌合開始位置に至らしめられる。図３に示すように、嵌合開始位置では、板部７４の弾性ロック部９２が挿入溝５４の溝縁に弾性的に係止され、レバー１６の回動操作が規制される。また、図９に示すように、板部７４においてカム溝８５の入り口を部分的に閉鎖する係止部８８が、進入溝１０７の外側で、且つカムピン１１１の外側部分の前方に対向して配置される。よって、嵌合開始位置では、カムピン１１１が係止部８８に当接することにより、ムービングプレート１５がフード部３６から前方へ抜け出すのが規制される。さらに、図３に示すように、嵌合開始位置では、板部７４の壁係合部９３の一端部（レバー１６の回動方向先端側の部分）が壁部５５の進入口６６から進入空間６５に進入し、壁係合部９３の一端部が外側を壁本体部５８で被覆される。
【００５４】
上記の状態で、相手側の雌ハウジング１１がフード部３６内に浅く嵌合される。すると、雌ハウジング１１のカムフォロア２７がムービンプレートの進入溝１０７に挿入されてカムピン１１１の内側に配置され、カムフォロア２７とカムピン１１１とが実質的に合体されてカム部分を構成する。また、雌ハウジング１１の解除部２６が中継挿入溝１０８を介して挿入溝５４に挿入されて弾性ロック部９２を押圧し、弾性ロック部９２と挿入溝５４の溝縁との係止を解除する。
【００５５】
また、雌ハウジング１１のこじり防止部２５が中継こじり防止受部９７に嵌合挿入される。これにより、雌ハウジング１１が正規の嵌合姿勢から傾いたこじり嵌合姿勢でフード部３６内に不正に嵌合されるのが防止される。さらに、雌ハウジング１１がフード部３６内に浅く嵌合されると、レバーロック部２８の前部がフード部３６の凹部７１に進入し、レバーロック部２８の逃がし部３４の内側に、操作部１０３の摘み片１０６を含む部分が進入して逃がされる。
【００５６】
上記の状態からレバー操作部７３を摘みつつレバー１６が嵌合完了位置である前方へ向けて回動される。レバー１６が嵌合完了位置へ向かう回動過程では、合体状態のカム部分がカム溝８５の嵌合用カム面８６を摺動し、雌ハウジング１１とレバー１６との間にカム機構が働いて、雌ハウジング１１がフード部３６内に次第に引き込まれる。また、ムービングプレート１５が移動完了位置へ向けて移動し、周壁９５がフード部３６の内面を摺動する。それに伴い、雄端子金具３９のタブ４１が、プレート本体９４の位置決め孔９６から大きく突出し、対応する雌端子金具２２に挿入される。さらに、レバーロック部２８が凹部７１の奥端側へ向けて変位する。
【００５７】
レバー１６の回動過程では、軸部４３の各突片４５が摺動面８４を摺動する。このため、板部７４は、コネクタの嵌合抵抗を受けてレバー操作部７３側を支点として拡開しようとしても、各突片４５に当接することで、外側への拡開変形が支点側で規制されることになる。
【００５８】
さらにレバー１６の回動過程では、図３から図４にかけて示すように、壁係合部９３が壁部５５の進入空間６５に挿入される挿入量が次第に増加し、壁係合部９３が壁本体部５８で覆われて当接可能な状態が常に維持される。したがって、壁係合部９３が壁本体部５８に当接することで、板部７４の外側への拡開変形が外周側で確実に規制されることになる。
【００５９】
図４に示すように、レバー操作部７３が雌ハウジング１１の前側に回り込み、レバー１６が嵌合完了位置に到達すると、図８に示すように、レバーロック受部７５がレバーロック部２８に上方から被さり、ロックアーム部７７がレバーロック突起３２に弾性的に係止される。これにより、レバー１６が雌ハウジング１１に回動規制状態に保持され、且つ、雌ハウジング１１が雄ハウジング１２のフード部３６内に嵌合状態に保持される。また、図６に示すように、嵌合完了位置では、レバー操作部７３におけるレバーロック受部７５を挟んだ左右両側の部分が、上側（第１側壁４７側）の左右両側に位置するこじり防止受部６８の膨出端面６９に当接し、レバー１６のそれ以上の回動が確実に規制される。
【００６０】
図７に示すように、レバー１６が嵌合完了位置にあるときに、レバーロック部２８とレバーロック受部７５との係止は上方から視認可能となっている。図８に示すように、レバーロック部２８は、全体が凹部７１内に挿入され、凹部７１の奥端側に近接または当接可能に配置される。操作部１０３の摘み片１０６は、レバーロック部２８の逃がし部３４内に挿入される。このため、操作部１０３とレバーロック部２８とは、前後方向で部分的に重なり合う位置関係にある。
【００６１】
上記によりコネクタが正規に嵌合されると、図８に示すように、ムービングプレート１５のプレート本体９４が端子収容部３５の前面（フード部３６の奥面）と雌ハウジング１１との間に、雄フロントリテーナ１４を介して、挟持され、雄端子金具３９のタブ４１が雌端子金具２２に正規に挿入接続される。
【００６２】
図４に示すように、レバー１６が嵌合完了位置にあり、コネクタが嵌合状態に保持されたときに、壁係合部９３は、レバー１６の回動方向の前側（先側）が、壁部５５の出口側（進入口６６とは反対側の開口側）から所定長さ突出する。よって、壁係合部９３が壁部５５の出口側から突出する状態を側方から視ることにより、レバー１６の回動状態を確認することができ、ひいてはコネクタが正規に嵌合されたかどうかを検知することができる。一方、壁係合部９３のうち、レバー１６の回動方向の後側は、壁部５５の進入空間６５に挿入され、壁本体部５８に当接可能な状態にあり、板部７４の外側への拡開変形を規制する。
【００６３】
一方、雌ハウジング１１を雄ハウジング１２のフード部３６から離脱させるには、まずロックアーム部７７が持ち上げられ、レバーロック受部７５とレバーロック部２８との係止が解除される。その状態からレバー操作部７３を摘みつつレバー１６が嵌合開始位置である後方に回動される。レバー１６が嵌合開始位置へ向かう回動過程では、合体状態のカム部分がカム溝８５の離脱用カム面８７を摺動し、雌ハウジング１１とレバー１６との間にカム機構が働いて、雌ハウジング１１が端子収容部３５の前面側（フード部３６の奥面側）から離間する。そして、レバーロック部２８が凹部７１の奥端側から離間する。さらに、カム部分のカムピン１１１がカム溝８５の離脱用カム面８７を摺動することにより、ムービングプレート１５とレバー１６との間にカム機構が働いて、ムービングプレート１５も端子収容部３５の前面側から離間し、移動開始位置へ向けて移動させられる。
【００６４】
レバー１６が嵌合開始位置に至ると、板部７４の弾性ロック部９２が挿入溝５４の溝縁に弾性的に係止され、レバー１６の回動操作が停止される。上記のとおり、レバー１６が嵌合開始位置にあるときにも、壁係合部９３が壁部５５の進入空間６５に進入して壁本体部５８に当接可能な状態が維持される。
【００６５】
また、レバー１６が嵌合開始位置に至ると、レバーロック部２８の後部がフード部３６の開口端（前端）から突出した状態になる。その状態で、レバーロック部２８を摘みつつ雌ハウジング１１がフード部３６から引き抜かれ、雌ハウジング１１が雄ハウジング１２から離脱させられる。
【００６６】
続いて、レバー１６が組付位置に回動され、ムービングプレート１５が移動開始位置に戻ると、カム溝８５の入り口側におけるカムピン１１１が係止部８８から離間し、ムービングプレート１５がフード部３６から離脱可能な状態になる。端的には、レバー１６及びフード部３６に対するムービングプレート１５の係止が解除される。
【００６７】
上記の状態で、作業者の指が凹部７１の内側に差し入れられ、例えば、親指が外側平面部１０４に押し当てられ、人差し指が内側平面部１０５に押し当てられるようにして、操作部１０３が作業者の指で厚み方向に挟持される。その状態で、図１１の矢印Ａ方向に操作部１０３が引っ張られて凹部７１から離間させられ、もってムービングプレート１５がフード部３６から離脱させられる。また、例えば、人差し指の指先が凹所９８の内側に差し入れられ、操作部１０３の段差９９に引っ掛けられた状態で、操作部１０３が引っ張られて凹部７１から離間させられるものであってもよい。かくして、ムービングプレート１５が雄ハウジング１２から簡単に取り外される。
【００６８】
以上説明したように、本実施例１によれば、次の効果を奏し得る。
コネクタは、フード部３６を有する雄ハウジング１２と、フード部３６内に移動可能に収容されるムービングプレート１５とを備え、ムービングプレート１５は、周壁９５に、フード部３６の凹部７１から露出する取り外し用の操作部１０３を有している。これによれば、作業者がフード部３６の内側に指を差し入れなくても操作部１０３を摘む等して、ムービングプレート１５をフード部３６から簡単に取り外すことができる。
【００６９】
フード部３６は、操作部１０３の進入を許容する切欠状の凹部７１を有している。これによれば、フード部３６の内側にムービングプレート１５を収容した状態で、操作部１０３がフード部３６から後方に大きく突出することがなく、コネクタの前後方向の長さが大きくなるのを抑えることができる。その結果、複数のコネクタを嵩張ることなく搬送することができる。
【００７０】
雄ハウジング１２には両ハウジング１１、１２の嵌合を行うレバー１６が回動可能に組み付けられ、雌ハウジング１１はレバー１６を係止するレバーロック部２８を有し、レバーロック部２８が凹部７１に進入する。これによれば、凹部７１がレバーロック部２８の進入領域にもなり、スペース効率に優れる。
【００７１】
レバーロック部２８は、根元部分に、操作部１０３を逃がす逃がし部３４を有している。これによレバー操作部７３が逃がし部３４に逃がされてレバーロック部２８との干渉を回避することができる。また、レバーロック部２８と操作部１０３とが、逃がし部３４の分、前後方向でラップすることにより、コネクタの前後方向の長さを縮めることができる。
【００７２】
フード部３６は、凹部７１の周囲に沿って延出するリブ７２を有している。これによれば、フード部３６に切欠状の凹部７１が設けられていても、リブ７２によってフード部３６の剛性を確保することができる。
【００７３】
ムービングプレート１５の操作部１０３が周壁９５の外面に露出する外側平面部１０４と周壁９５の内面に露出する内側平面部１０５とを有し、外側平面部１０４と内側平面部１０５とが周壁９５を挟んで対をなして配置される。これによれば、作業者は、例えば、外側平面部１０４と内側平面部１０５とを指で摘みながらムービングプレート１５を取り外すことができる。
【００７４】
周壁９５は、外面に、周囲から凹んだ凹所９８を有し、凹所９８は、前後方向（ムービングプレート１５の移動方向）と交差する幅方向に延出する段差９９を有し、段差９９は、操作部１０３に含まれている。これによれば、作業者は、例えば、段差９９に指を引っ掛けながらムービングプレート１５を取り外すことができる。
【００７５】
外側平面部１０４は、段差９９に連なって周壁９５の周囲の外面と連続するものであり、操作部１０３は、段差９９と外側平面部１０４とを有している。これによれば、作業者は、例えば、段差９９から外側平面部１０４にまたがって指を押し当てながらムービングプレート１５を取り外すことができる。
【００７６】
フード部３６は、内面に、凹所９８の反対側に位置して凹所９８に対応した形状の凸所１０１を有している。このように、凹所９８と凸所１０１とが対応して設けられることにより、フード部３６の厚みが増減するのを防止することができ、フード部３６の引けや反りの発生を抑えることができる。
【００７７】
雄ハウジング１２にレバー１６が取り付けられ、レバー１６は、ハウジングに組み付けられる組付姿勢と、組付姿勢から回動されて両ハウジング１１、１２が嵌合開始可能な状態になる嵌合開始姿勢と、を取り得るもので、一対の板部７４を有し、一対の板部７４は、それぞれカム溝８５を有し、ムービングプレート１５は、周壁９５に、カム溝８５と係合しムービングプレート１５を移動させる一対のカムピン１１１を有し、一対の板部７４は、それぞれ、カム溝８５の溝面に、嵌合開始姿勢で、カムピン１１１を係止してムービングプレート１５を抜け止めする係止部８８を有し、カムピン１１１は、レバー１６の組付姿勢で、係止部８８から離れ、カム溝８５の入り口に抜け出し可能に配置される。これによれば、レバー１６が組付姿勢にあるときに、ムービングプレート１５が雄ハウジング１２及びレバー１６から非係止のフリー状態になるため、その状態で操作部１０３を摘みながら、ムービングプレート１５を簡単に取り外すことができる。
【００７８】
また、上記のとおり、コネクタは、レバーロック部２８が突設された雌ハウジング１１と、雌ハウジング１１が嵌合可能な筒状のフード部３６を有する雄ハウジング１２とを備え、フード部３６は、レバーロック部２８が進入する切欠状の凹部７１を有し、雄ハウジング１２にはレバー１６が組み付けられ、レバー１６は、凹部７１に進入したレバーロック部２８に係止されるレバーロック受部７５を有している。このように、レバーロック部２８が凹部７１に進入することにより、コネクタの前後方向の長さを短くすることができる。
【００７９】
雌ハウジング１１は、前面側の嵌合面１７と、後面側の電線引出面１８と、電線引出面１８及び嵌合面１７のそれぞれと交差する方向を向く側面１９とを有し、レバーロック部２８は、側面１９に設けられている。これによれば、レバーロック部２８の成形の自由度を高めることができる。
【００８０】
レバーロック部２８は、電線引出面１８から後方へ突出する部分を有しない。これによれば、レバーロック部２８が電線引出面１８から引き出された各電線２３と干渉するのを回避することができ、電線２３の配索自由度を高めることができる。
【００８１】
レバーロック部２８とレバーロック受部７５とが互いに係止し合う構造は、雌ハウジング１１の上方から視認可能となっている。これによれば、レバーロック部２８とレバーロック受部７５との係止状態を簡単に確認することができ、レバー１６が雌ハウジング１１に係止されない状態で放置される事態を回避することができる。
【００８２】
フード部３６の凹部７１には、レバーロック部２８の全体が進入する。これによれば、コネクタの前後方向の長さをより短くすることができる。
【００８３】
レバーロック部２８は、凹部７１に進入した状態で、周囲に位置するフード部３６の外面（上面）より高く突出して配置される。これによれば、例えば、コネクタの離脱作業を行う際に、レバーロック部２８を摘みながら雌ハウジング１１をフード部３６から引き抜くことができる。
【００８４】
フード部３６は、雌ハウジング１１が嵌合される嵌合空間４６を挟んで対向する第１側壁４７及び第２側壁４８を有し、第１側壁４７は、凹部７１を有し、第２側壁４８は、車体に取り付けるための取付部６７を有している。これによれば、フード部３６が取付部６７を介して車体に取り付けられたときに、凹部７１が作業者の手前側に位置することになるため、例えば、凹部７１にレバーロック部２８が進入する状態を目視で確認することができ、フード部３６に対して雌ハウジング１１が誤った姿勢で嵌合されるのを防止することができる。
【００８５】
フード部３６は、レバーロック部２８とレバーロック受部７５とが互いに係止し合う状態で、レバー１６に当接可能なこじり防止受部６８を有している。これによれば、こじり防止受部６８がレバー１６の過度回動規制部として機能し、レバー１６の過度な回動がこじり防止受部６８によって阻止される。
【００８６】
こじり防止受部６８は、フード部３６において、凹部７１を挟んだ両側に対をなして設けられている。これによれば、レバー１６の過度な回動をより確実に阻止することができる。
【００８７】
こじり防止受部６８は、こじり防止部２５を受けて両ハウジング１１、１２のこじり嵌合を防止し、こじり防止機能と、レバー１６の過度回動規制機能とを兼備することができる。
【００８８】
こじり防止受部６８の平坦な膨出端面６９が過度回動規制部となることから、フード部３６の構造が複雑化することもない。
【００８９】
また、雌ハウジング１１は、一対のカムフォロア２７を有し、雄ハウジング１２は、フード部３６の第３側壁４９及び第４側壁５１の外壁面を構成する一対の側面と、一対の側面にそれぞれ突設される軸部４３と、一対の側面の外側に配置される壁部５５とを有し、レバー１６は、回動操作のための操作部１０３と、操作部１０３から互いに対向して突出し、回動されて一対のカムフォロア２７にそれぞれ係合するカム溝８５が設けられた一対の板部７４と、一対の板部７４にそれぞれ設けられる軸受部８１と、一対の板部７４にそれぞれ設けられ、一対の板部７４がそれぞれ対応する側面に対向して軸部４３が軸受部８１に嵌合することで、壁部５５の内側の進入空間６５に回動方向に進入可能に臨む一方、一対の板部７４がそれぞれ対応しない側面に誤って対向することで、一対の板部７４を撓ませた状態で壁部５５に外側から当接するように構成された壁係合部９３とを有している。
【００９０】
上記によれば、例えば、壁係合部９３が進入空間６５に進入して壁部５５に内側から当接可能となることで、一対の板部７４が拡開するのを防止することができる。また、レバー１６が誤組み付けの姿勢をとるときに、壁係合部９３が壁部５５に外側から当接して一対の板部７４を撓ませた状態にするから、軸部４３が軸受部８１に嵌合することができず、レバー１６が誤組付姿勢のまま雄ハウジング１２に取り付けられるのを防止することができる。このように、壁部５５及び壁係合部９３が、両ハウジング１１、１２の誤組み付けを規制する機能と、板部７４の拡開を規制する機能とを兼備することにより、構造を簡単にすることができる。
【００９１】
レバー１６は、雄ハウジング１２に組み付けられる組付姿勢と、組付姿勢から回動されてカムフォロア２７がカム溝８５の入り口に進入可能となる嵌合開始姿勢と、嵌合開始姿勢から回動されてカムフォロア２７がカム溝８５の奥側に移動した嵌合完了姿勢と、を取り得るものであり、壁係合部９３は、組付姿勢で壁部５５の内側の進入口６６に臨むように構成される。これによれば、レバー１６が組付姿勢にあるときに、壁係合部９３が壁部５５と干渉するのを防止することができ、組み付けの作業性に優れる。また、レバー１６が嵌合開始姿勢に回動されると、壁係合部９３が進入口６６を通して壁部５５の内側の進入空間６５に迅速に進入可能となる。
【００９２】
壁係合部９３は、レバー１６が嵌合開始姿勢から嵌合完了姿勢に変位する全域にわたって壁部５５の内側の進入空間６５に進入する構成になっている。これによれば、両ハウジング１１、１２の嵌合過程の全域にわたって板部７４が拡開するのを壁部５５によって防止することができ、拡開防止の信頼性に優れる。
【００９３】
壁部５５は、軸部４３を通る前後方向（両ハウジング１１、１２の嵌合方向）に沿った仮想軸５９に対して非対称な形状になっている。これによれば、レバー１６が正規の組付姿勢を取るときは、壁係合部９３が壁部５５の内側の進入空間６５に進入可能に臨み、レバー１６が誤組付姿勢を取るときは、壁係合部９３が壁部５５に外側から当接するという構成を、壁部５５の非対称形状によって簡単に実現することができる。
【００９４】
壁部５５は、仮想軸５９から上側（両ハウジング１１、１２の嵌合方向と直交する一側）へ短く延出する短部分６１と、仮想軸５９から下側（両ハウジング１１、１２の嵌合方向と直交する他側）へ短部分６１より長く延出する長部分６２とを有し、短部分６１の内側に、壁係合部９３の進入口６６が設けられている。これによれば、レバー１６の組み付け時、短部分６１側に壁係合部９３を位置させることで、レバー１６の誤組み付けを未然に防止することができる。また、壁部５５が長部分６２から短部分６１にかけて比較的長く形成されることにより、フード部３６の強度を向上させることができる。
【００９５】
軸部４３は、フード部３６の一対の側面のそれぞれにおいて、側面から突出する軸本体４４と、軸本体４４の先端部から径方向両側に突出する一対の突片４５とを有し、軸受部８１は、一対の板部７４のそれぞれにおいて、軸本体４４が貫通する軸孔８２と、軸孔８２に連通して径方向両側に延び、突片４５を通過させる一対の逃がし孔８３とを有し、一対の板部７４のそれぞれは、軸孔８２の開口周辺部に、突片４５が回動方向に摺動可能な摺動面８４を有している。このように、一対の突片４５が径方向両側に突出し、一対の逃がし孔８３が径方向両側に延びる形態になっていることにより、レバー１６の回動角を大きく確保することができる。本実施例１の場合、壁部５５と壁係合部９３とでレバー１６の誤組み付けを防止するから、一対の側面のそれぞれで軸部４３を対称な形状にすることができる。
【００９６】
一対の突片４５及び一対の逃がし孔８３は、前後方向（両ハウジング１１、１２の嵌合方向）に沿った形態になっている。これによれば、一対の突片４５及び一対の逃がし孔８３を、前後方向に引き抜く金型を利用し、各雄キャビティ３８とともに成形することができる。
【００９７】
壁係合部９３は、一対の板部７４のそれぞれの外周に回動方向にリブ状に延出している。これによれば、壁係合部９３が壁部５５と係合し易くなる。
【００９８】
壁係合部９３の回動方向の長さは、壁部５５の回動方向の長さと同じ又は壁部５５の回動方向の長さより長い。これによれば、壁係合部９３が壁部５５とよりいっそう係合し易くなる。
【００９９】
上記のとおり、レバー１６は、カムフォロア２７がカム溝８５の入り口に進入可能となる嵌合開始姿勢と、嵌合開始姿勢から回動されてカムフォロア２７がカム溝８５の奥側に移動した嵌合完了姿勢と、を取り得るものであり、壁係合部９３は、一対の板部７４のそれぞれの外周に回動方向にリブ状に延出しており、壁係合部９３は、嵌合完了姿勢で、一部が壁部５５から露出して視認可能となっている。これによれば、壁係合部９３の一部が壁部５５から露出した状態を視認することにより、レバー１６が嵌合完了姿勢にあることを容易に検知することができる。
【０１００】
壁係合部９３は、壁部５５の内側の進入空間６５に進入して壁部５５の内面を摺動するように構成されている。これによれば、一対の板部７４が拡開するのをより確実に防止することができる。また、進入空間６５の開口幅を小さくすることができ、コネクタの大型化を回避することができる。
【０１０１】
なお、上記実施例１において、コネクタから雌フロントリテーナ１３及び雄フロントリテーナ１４を省略してもよい。この場合、雌端子金具２２及び雄端子金具３９は、雌ハウジング１１及び雄ハウジング１２のランス部分の係止作用によって抜け止めされる。また、コネクタは、雌フロントリテーナ１３及び雄フロントリテーナ１４の代わりに、リテーナ機能を有しない雌フロントマスク及び雄フロントマスクを備えるものであってもよい。
【符号の説明】
【０１０２】
１１…雌ハウジング
１２…雄ハウジング
１５…ムービングプレート
１６…レバー
１７…嵌合面
１８…電線引出面
１９…側面
２５…こじり防止部
２８…レバーロック部
３４…逃がし部
３６…フード部
４１…タブ
４３…軸部
４５…突片
４７…第１側壁
４８…第２側壁
４９…第３側壁
５５…壁部
５９…仮想軸
６１…短部分
６２…長部分
６６…進入口
６７…取付部
６８…こじり防止受部
６９…膨出端面（過度回動規制部）
７１…凹部
７２…リブ
７４…板部
７５…レバーロック受部
８２…軸孔
８３…逃がし孔
８４…摺動面
８５…カム溝
８８…係止部
９３…壁係合部
９４…プレート本体
９５…周壁
９６…位置決め孔
９８…凹所
９９…段差
１０１…凸所
１０４…外側平面部
１０５…内側平面部
１１１…カムピン
【図１】
2019091610.tif 000003
【図２】
2019091610.tif 000004
【図３】
2019091610.tif 000005
【図４】
2019091610.tif 000006
【図５】
2019091610.tif 000007
【図６】
2019091610.tif 000008
【図７】
2019091610.tif 000009
【図８】
2019091610.tif 000010
【図９】
2019091610.tif 000011
【図１０】
2019091610.tif 000012
【図１１】
2019091610.tif 000013
【図１２】
2019091610.tif 000014
【図１３】
2019091610.tif 000015
【図１４】
2019091610.tif 000016
【図１５】
2019091610.tif 000017
【図１６】
2019091610.tif 000018
【図１７】
2019091610.tif 000019
【図１８】
2019091610.tif 000020
【図１９】
2019091610.tif 000021
【図２０】
2019091610.tif 000022